(57)【要約】【課題】  充電装置に内蔵された電池にも、当該充電装置を介して接続された携帯電話等の電気製品にも電力を供給でき、更に、充電装置に内蔵される電池を取り外して、単体として別用途に繰り返し利用可能にする充電装置を提供すること。【解決手段】  制御手段が着脱自在であると共に充電可能な電池を備え、当該充電装置を電力受入部材を介して外部電力供給源のみに接続した場合には、当該充電装置内の電池が充電され、当該充電装置を電力供給部材を介して外部電気製品のみに接続した場合には、当該充電装置内の電池が外部電気製品に電力を供給し、当該充電装置を電力受入部材を介して外部電力供給源に接続すると共に、電力供給部材を介して外部電気製品に接続した場合には、当該充電装置内の電池が充電可能であると共に外部電気製品に電力を供給可能であり、当該充電装置内にある着脱自在な電池を取り外した際には、その電池を単体として別用途に利用可能とする。【選択図】  図２
0003102287.tif 000002
【実用新案登録請求の範囲】
【請求項１】
電気製品に着脱自在に接続されて、電気製品への電力供給を行う充電装置であって、
外部の電力供給源に接続される電力受入部材と、
電力供給を司る制御手段と、
外部の電気製品に接続する電力供給部材とを備えた構成において、
制御手段が、着脱自在であると共に充電可能な電池を備え、
当該充電装置を、電力受入部材を介して外部電力供給源のみに接続した場合には、当該充電装置内の電池が充電され、
当該充電装置を、電力供給部材を介して外部電気製品のみに接続した場合には、当該充電装置内の電池が外部電気製品に電力を供給し、
当該充電装置を、電力受入部材を介して外部電力供給源に接続すると共に、電力供給部材を介して外部電気製品に接続した場合には、当該充電装置内の電池が充電可能であると共に、外部電気製品に電力を供給可能であり、
当該充電装置内にある着脱自在な電池を取り外した際には、その電池を単体として別用途に利用可能である
ことを特徴とする充電装置。
【請求項２】
当該充電装置が、携帯電話用の充電装置であって、
電力受入部材の接続される外部電力供給源が、各携帯電話固有の交流直流整流器付き充電器であると共に、電力受入部材が、携帯電話に設けられた電力受入ジャックと同一形状であり、
電力供給部材が、携帯電話に設けられた電力受入ジャックに接続可能な形状である
請求項１に記載の充電装置。
【請求項３】
当該充電装置が、携帯容易な略直方体形状であり、
その略直方体の一面に設けられたバッテリーカバーを開閉することによって、電池を出入自在であり、
その電池が、単３または単４型の２次電池である
請求項１または２に記載の充電装置。
【考案の詳細な説明】
【技術分野】
【０００１】
本考案は、携帯電話など電気製品に着脱自在に接続されて、少なくとも電気製品への電力供給を行う充電装置の構成に関する。
【背景技術】
【０００２】
携帯電話など電気製品に接続して利用する従来の外部充電装置は、その蓄電手段が充電装置に一体的に設けられている構成のものが大多数であった。
蓄電手段が充電装置本体と一体不可分であると、その電池などの蓄電手段を本体から分離して、単体として別用途に使うことは無理である。
【０００３】
他方、市販の電池を蓄電手段として、携帯電話に接続して電力供給するための充電具は、すでに公知である。
しかし、この種の充電具によると、その電池が消耗すると再使用できない。仮に、その電池が繰り返し充電可能なタイプの電池であったとしても、それを当該充電具で充電することは不可能であった。
【考案の開示】
【考案が解決しようとする課題】
【０００４】
そこで、本考案は、充電装置に内蔵された電池にも、当該充電装置を介して接続された携帯電話等の電気製品にも、電力を供給でき、更に、充電装置に内蔵される電池を取り外して、単体として別用途に繰り返し利用可能にする充電装置を提供することを課題とする。
【課題を解決するための手段】
【０００５】
上記課題を達成するため、本考案の充電装置は、次の構成を備える。
すなわち、外部の電力供給源に接続される電力受入部材と、電力供給を司る制御手段と、外部の電気製品に接続する電力供給部材とを備え、電気製品に着脱自在に接続されて、電気製品への電力供給を行う充電装置において、制御手段が、着脱自在であると共に充電可能な電池を備え、当該充電装置を、電力受入部材を介して外部電力供給源のみに接続した場合には、当該充電装置内の電池が充電され、当該充電装置を、電力供給部材を介して外部電気製品のみに接続した場合には、当該充電装置内の電池が外部電気製品に電力を供給し、当該充電装置を、電力受入部材を介して外部電力供給源に接続すると共に、電力供給部材を介して外部電気製品に接続した場合には、当該充電装置内の電池が充電可能であると共に、外部電気製品に電力を供給可能であり、当該充電装置内にある着脱自在な電池を取り外した際には、その電池を単体として別用途に利用可能であることを特徴とする。
【０００６】
ここで、当該充電装置を、携帯電話用の充電装置として、電力受入部材の接続される外部電力供給源を、各携帯電話固有の交流直流整流器付き充電器とすると共に、電力受入部材を、携帯電話に設けられた電力受入ジャックと同一形状とし、電力供給部材を、携帯電話に設けられた電力受入ジャックに接続可能な形状としてもよい。
【０００７】
また、当該充電装置を、携帯容易な略直方体形状として、その略直方体の一面に設けられたバッテリーカバーを開閉することによって、電池を出入自在とし、その電池を、単３または単４型の２次電池としてもよい。
【考案の効果】
【０００８】
本考案によると、蓄電手段が着脱自在な充電式電池なので、それを反復充電できるのはもちろん、それを単体として取り外して、他の電気製品に別用途に繰り返し利用することもできる。
【考案を実施するための最良の形態】
【０００９】
以下に、本考案の実施形態を図面に基づいて説明する。
ここでは、単３型電池を２本収容し、概形が平らな直方体の充電装置を例示するが、内蔵する電池のタイプは、市販の充電式電池であれば任意であり、また本数も１〜４本を適宜選べ、形状も適宜設計変更できる。
【００１０】
また、ここでは、電力供給対象の外部電気製品として携帯電話を例示するが、充電式の髭剃り器など、充電式の小型製品一般に適用できる。
【００１１】
図１は、電力供給部材のキャップを外した状態を示す充電装置の斜視図、図２は、そのキャップと電池のバッテリーカバーを外した状態を示す充電装置の正面図、図３は、キャップ及びバッテリーカバーを閉めた状態を示す充電装置の正面図である。
充電装置は、少なくとも、外部の電力供給源に着脱自在に接続される電力受入部材（１０）と、電力供給を司る制御手段（２０）と、外部の電気製品に着脱自在に接続する電力供給部材（３０）とを備える。
【００１２】
充電装置の概形は、平らな略直方体形状であり、全体の大きさは、およそ縦８ｃｍ、横５ｃｍ、厚み２ｃｍである。縦は、収容される充電式電池（４０）と、電力受入部材（１０）及び電力供給部材（３０）のジャックとの和程度であり、横と厚みは、電力受入部材（１０）及び電力供給部材（３０）のジャック程度であり、コンパクトで携帯の利便に適合させてある。
【００１３】
電力受入部材（１０）は、外部電力供給源としての各携帯電話固有の交流直流整流器付き充電器に差し込まれて接続される。電力受入部材（１０）のジャックは、携帯電話に設けられている電力受入ジャックと同一形状である。
一方、電力供給部材（３０）は、携帯電話に設けられている電力受入ジャックに接続可能な形状、すなわち各携帯電話固有の交流直流整流器付き充電器に設けられている電力供給ジャックと同一形状である。
電力供給部材（３０）のジャックは、ジャック固定具（３１）を挟持することによって、携帯電話に設けられている電力受入ジャックとの接離が司られる。
【００１４】
電力供給部材（３０）を覆って保護するキャップ（３２）は、制御手段（２０）を収容する本体部（２１）と凹凸嵌合によって接離される。
【００１５】
本体部（２１）の一面には、把持部（２２）をスライドすることで開閉するバッテリーカバー（２３）が配置されている。
バッテリーカバー（２３）を外すと、内部に充電式電池（４０）を着脱自在に２本収容する空間が設けられている。
その空間に充電式電池（４０）を嵌めると、金属接点（２４）を介して電力が受入される。
【００１６】
充電式電池（４０）としては、単３型ニッケル水素電池が、汎用性や充放電機能等の点で好適である。他に、ニッカド電池や、リチウムイオン電池、小形シール鉛畜電池などの２次電池も利用できる。
なお、本装置で使用する電池は、必ずしも充電式の電池でなくてもよい。アルカリ電池などの１次電池も利用可能である。ただ、その場合は、電池は充電されず、携帯電話等の外部電気製品に電力を供給するのみの機能を果たす。
【００１７】
バッテリーカバー（２３）の近傍には、充電状態を指標するランプ（２５）が備わる。
外部電力供給源によって充電式電池（４０）が充電中の時に点灯する。
このようなランプを複数設置して、嵌めた任意の電池の容量チェックなどに利用してもよい。
【００１８】
このような構成によって、充電装置が、電力受入部材（１０）を介して外部電力供給源のみに接続された場合には、充電式電池（４０）が充電される。
そして、充電装置を、電力供給部材（３０）を介して携帯電話等の外部電気製品のみに接続した場合には、充電式電池（４０）によって外部電気製品に電力を供給して動作させる。
【００１９】
また、充電装置を、電力受入部材（１０）を介して外部電力供給源に接続すると共に、電力供給部材（３０）を介して外部電気製品に接続した場合には、充電式電池（４０）が充電されると同時に、外部電気製品に電力を供給して動作させる。
なお、この時、外部電力供給源から外部電気製品への電力供給は、必ずしも充電式電池（４０）を経由しなくてもよい。すなわち、電力受入部材（１０）から電力供給部材（３０）への直接回路を付設しておいてもよい。
【００２０】
このようにして充電される充電式電池（４０）は着脱自在なので、単独に取り外すことができる。すると、その充電式電池（４０）を、他の電気製品に嵌めて別用途に利用することが可能になる。
【産業上の利用可能性】
【００２１】
本考案によると、充電装置に内蔵される充電式電池を取り外して、単体として別用途に繰り返し利用もできるので、応用範囲が広範であり、産業上利用価値が高い。
【図面の簡単な説明】
【００２２】
【図１】電力供給部材キャップを外した状態を示す充電装置の斜視図
【図２】電力供給部材キャップと電池バッテリーカバーを外した状態を示す充電装置の正面図
【図３】電力供給部材キャップと電池バッテリーカバーを閉めた状態を示す充電装置の正面図
【符号の説明】
【００２３】
１０  電力受入部材
２０  制御手段
２１  本体部
２２  把持部
２３  バッテリーカバー
２４  金属接点
２５  ランプ
３０  電力供給部材
３１  ジャック固定具
３２  キャップ
３３  連結紐
４０  充電式電池
【図１】
0003102287.tif 000003
【図２】
0003102287.tif 000004
【図３】
0003102287.tif 000005